(57)【特許請求の範囲】
【請求項１】
基台と、この基台上に立設された伸縮可能な構成の支持手段と、この支持手段の自由端側を着脱可能かつ傾斜角度調節可能に挿入係止する保持部を有し下端部に支持棚部を設けた保持板部と、この保持板部に上下方向へ摺動可能に取り付けられた調節板部と、前記保持板部の支持棚部に設けられた本等の下部を押える下部押え手段と、前記調節板部の両側部に伸縮可能に取り付けられた一対の本等の上部ページ押え部材と、前記調節板部に伸縮及び又は揺動可能に取り付けた一対の本等の上部押え部材と、前記支持棚部に取り付けられ前記調節板部に係止される伸縮自在な一対の本押え紐とから成り、前記下部押え手段を支持棚部に揺動可能及び長手方向へ摺動可能に取り付けられた下部表紙押え部材と、前記支持棚部に前後方向へ揺動可能かつ長手方向へ摺動可能に取り付けられた各々の自由端部に押え幅調節可能にペ−ジ押え片を取り付けた一対の下部ページ押え部材とで構成したことを特徴とする、読書用スタンド。
【発明の詳細な説明】
【０００１】
【発明の属する技術分野】
この発明は、とくに寝たままで本を読む際に用いて好適な読書用スタンドに関する。
【０００２】
【従来の技術】
この発明者は先の出願で次のような構成の読書用スタンドを提案した。
【０００３】
基台と、この基台上に立設された少なくとも一部に自在に折り曲げることのできる部分を有する伸縮自在な構成の支持手段と、この支持手段の自由端側に着脱自在かつ傾斜角度調節自在に取り付けられた下端部に支持棚部を有する保持板部と、この保持板部に上下方向へ摺動可能に取り付けられた調節板部と、前記保持板部の支持棚部に設けられた本等の下部を押える下部押え手段と、前記調節板部に設けた本等の上部押え手段とから成り、前記下部押え手段を支持棚部に前後動可能に取り付けられた下部表紙押え部材と前記支持棚部に揺動可能かつ長手方向へ摺動可能に取り付けられた下部ページ押え部材とで構成し、前記上部押え手段を前記調節板部に摺動及び又は揺動可能に取り付けられた各一対の上部表紙押え部材と上部ページ押え部材とで構成すると共に、前記保持板部の両側部には摺動可能に取り付けた本等の両側部を押える一対の側部ペ−ジ押え部材を設けたことを特徴とする、読書用スタンド。
【０００４】
【発明が解決しようとする課題】
この従来公知の読書用スタンドは、文庫本のような小判の本の場合には、この本をどのように傾けてもしっかりと保持手段によって固定され、どのような姿勢でも本を楽に読むことができたが、本や雑誌等が週刊紙大の大判のものや厚くて重量のあるものになると、ページが垂れ下がって来て視界を遮ったり、さもないとページが反対側へ折れ曲ってしまったり、或は本の位置がづれてしまったりするという問題が生じた。
【０００５】
この発明の目的は、小判の本や雑誌から大判の本や雑誌までを、その軽重に関係なく幅広くさまざまな方向へ傾斜させた状態で安定的に保持し、寝たままで読書することのできる読書用スタンドを提供せんとするにある。
【０００６】
【課題を解決するための手段】
上述した目的を達成するためにこの発明は、基台と、この基台上に立設された伸縮可能な構成の支持手段と、この支持手段の自由端側を着脱可能かつ傾斜角度調節可能に挿入係止する保持部を有し下端部に支持棚部を設けた保持板部と、この保持板部に上下方向へ摺動可能に取り付けられた調節板部と、前記保持板部の支持棚部に設けられた本等の下部を押える下部押え手段と、前記調節板部の両側部に伸縮可能に取り付けられた一対の本等の上部ページ押え部材と、前記調節板部に伸縮及び又は揺動可能に取り付けた一対の本等の上部押え部材と、前記支持棚部に取り付けられ前記調節板部に係止される伸縮自在な一対の本押え紐とから成り、前記下部押え手段を支持棚部に揺動可能及び長手方向へ摺動可能に取り付けられた下部表紙押え部材と前記支持棚部に前後方向へ揺動可能かつ長手方向へ摺動可能に取り付けられた各々の自由端部に押え幅調節可能にペ−ジ押圧片を取り付けた一対の下部ページ押え部材とで構成したことを特徴とする。
【０００７】
【発明の実施の形態】
図面はこの発明の一実施の形態を示し、図１乃至図６において、１は四すみに安定性を増大させるための補助脚１ａを平面方向へ回動可能に軸着して成る平板状の基台であり、上面の中央部一側にボス部材２が立設されている。３は互いに軸方向へ嵌縮自在に連結された３本の支持パイプ３ａ，３ｂ，３ｃと、支持パイプ３ｃの上端に自在継手３ｄを介して揺動可能に取り付けられた先端に係止溝３ｆを有する挿入係止棒３ｅから成る支持手段であり、支持パイプ３ａの下端部をボス部材２へ挿入させることによって、基台１上へ着脱可能に立設されている。勿論、この部分は固定させても良い。各支持パイプ３ａ，３ｂ，３ｃは互いを写真機の三脚のように長さを調節した後で固定させるようにしても良いが、摩擦力によって固定されるようにしても良い。
【０００８】
とくに図４に示したように、支持手段３の挿入係止棒３ｅを保持部５に挿入係止させることによって、該支持手段３の自由端側に本の保持板部４が着脱可能に取付られている。この保持板部４は基板６とこの基板６の下端部に設けた支持棚部７を有し、基板６の後部には内部を空洞にした保持部５が設けられている。この保持部５は下端部側に挿入口５ａを有し、この挿入口５ａに続く空洞内部には扇状に配置した複数の係止片５ｂが取り付けられており、支持手段３の挿入係止棒３ｅの係止溝３ｆがどの係止片５ｂに係止されるかによって保持板部４の傾斜方向を変えることができるようになっている。尚、指示記号１５は保持部５の後部に所定間隔を空けて固着され、後述する本の上部ページ押え部材の保持部材を挿入係止させる挿入部材である。
【０００９】
次にとくに図４に示したように、支持棚部７の上面には、本の両表紙の下端部を押える一対の突片９ａ，９ａを有する下部表紙押え部材９が、締付ネジ１０ａを長孔９ｂに挿通させることによって、長手方向へ移動可能かつ水平方向へ揺動可能に取り付けられている。支持棚部７の上面にはさらに、各々の端部に本等のページの下部を押えるページ押え片１１ａ，１１ａを設けた一対の下部ページ押え部材１１，１１が、各長孔１１ｅ，１１ｅに締付ネジ１０ｂを挿通させることによって、回動可能かつ長手方向へ摺動可能に取り付けられている。ページ押え片１１ａ，１１ａは、下部ページ押え部材１１の各端部に突設した取付部１１ｂ，１１ｂに、締付ネジ１４ａ，１４ａと蝶ナット１４ｂ，１４ｂを介して取り付けられており、締付ネジ１４ａ，１４ａとページ押え片１１ａ，１１ａとの間には、該締付ネジ１４ａ，１４ａに環巻させてコンプレッションスプリング１４ｃ，１４ｃが弾設されている。
【００１０】
締付ネジ１０ａ，１０ｂは支持棚部７に設けた長孔７ａへ挿通されており、下部表紙押え部材９と下部ページ押え部材１１，１１は支持棚部７の前後方向へ移動調節可能である。このようにして、下部表紙押え部材９と下部ページ押え部材１１，１１で下部押え手段１２が構成されている。支持棚部７には、さらに各々の先端に係止具１３ａ，１３ａを取り付けた一対の伸縮可能なゴム製の本押え紐１３，１３がその一端部を取り付けられている。その他、８ａは長孔８ｃを有し締付ネジ１０ａ，１０ｂを係止する係止プレート、８ｂは押えプレートであり、両者はとくに図６に示したようにマッジックテープ８ｄ，８ｅで互いに接着されている。さらに、１０ｃ，１０ｄは締付ネジ１０ａ，１０ｂ用の蝶ナットである。
【００１１】
次に、上部押え手段１６について説明する。保持板部４の表面には、その両側部に設けたガイド部材４ａ，４ａを介して上下方向へ摺動可能に調節板部１７が取り付けられている。この調節板部１７は仕切り１８ａによって所定の間隙１８を空けて対置させた表板１７ａと裏板１７ｂから成り、間隙１８には各々上端部に弾性片１９ａ，１９ａを有する一対の上部表紙押え部材１９，１９が、抜き差し自在に挿入されている。調節板部１７の後部にその上部を固着して上述した調節板部１７の支持部材２０が設けられており、この支持部材２０の下部は挿入部材１５内に抜き差し可能に挿入されている。この支持部材２０と調節板部１７との間に凸条２０ｃ，２０ｄによって設けられてたガイド溝２０ａには、左右より一対の上部ページ押え部材２１，２１が抜き差し可能に挿入されており、その各々一端には、長短二重の透明材料で構成した弾性片２１ａ，２１ｂが設けられている。尚、２０ｂはマジックテープであり、上部ページ押え部材２１，２１の側にもこのマジックテープ２０ｂと接するマジックテープ２１ｃ，２１ｃが取り付けられている。
【００１２】
したがって、とくに図５と図６に示したように、本Ａが文庫本のように小版のものである場合には、本Ａを開いて保持板部４の支持棚部７上に置き、表と裏の両表紙の上面へ本押え紐１３，１３を通し、その端部の係止具１３ａ，１３ａを調節板部１７の係止部１７ｃへ係止させ各表紙を調節板部１７の上面へ押えつけた後、その上部と下部を各々上部表紙押え部材１９，１９の弾性片１９ａ，１９ａと下部表紙押え部材９の突片９ａ、９ａとによって押える。尚、この際、下部表紙押え部材９は、締付ネジ１０ａを若干弛めることにより前後方向へ移動させ、表紙の厚さの違いに対応する。続いて上部ページ押え部材２１，２１の各弾性片２１ａ，２１ｂと下部ページ押え部材１１、１１のページ押え片１１ａ，１１ａを使用して本Ａの上下部のページを押えた後、保持部５の挿入口５ａより支持手段３の挿入係止棒３ｅを挿入し、どれかの係止片５ｂへ係止溝３ｆを係止させて、保持板部４の傾斜角度を調節し、或は支持手段３の各支持パイプ３ａ〜３ｃを伸縮させたり、自在継手３ｄの部分を曲げたりして保持板部４の傾斜位置を調節して本Ａが見易い位置に調節する。このようにして、寝たままで本Ａを読み、読み終えたページをめくって一方の上下部のページ押え部材２１、１１より外し、もう一方の上下部のページ押え部材２１、１１へ挟み込むことにより、寝ながらにして両手で本Ａを持たずに読書を行うことができるものである。
【００１３】
次に、本が週刊紙のように大判のものの場合には、図７と図８に示したように、調節板部１７を保持板部４より上方へ引き出して本Ｂの大きさに合わせる。次いで、本押え紐１３，１３を伸ばして本Ｂの表と裏の各表紙を保持板部４と調節板部１７上へ押し付けてその各係止具１３ａ，１３ａを係止部１７ｃへ係止させてさらに各表紙を押えた後、下部表紙押え部材９の突片９ａ，９ａと上部表紙押え部材１９，１９の各弾性片１９ａ，１９ａを用いて表と裏の各表紙を保持板部４と調節板部１７上へ係止させて各表紙を保持板部４と調節板部１７上へ固定させる。そして、本Ｂの読みたいページを開いて下部ページ押え部材１１，１１のページ押え片１１ａ，１１ａと上部ページ押え部材２１，２１の各弾性片２１ａ，２１ｂを用いて、本Ｂの上部と下部の各ページを押えた後、保持板部４の保持部５へ上述したように支持手段３の挿入係止棒３ｅを挿入させて、上述した本Ａの場合のように、本Ａが読み易いように傾斜や高さを調節するものである。
【００１４】
ところで、上部ページ押え部材２１，２１の端部に長短２重の湾曲した各弾性片２１ａ，２１ｂを取り付けると、ページを２つに分けて押えるのに便利である。例えば本の大部分のページを上部ページ押え部材の一方の長い弾性片２１ａで押え、少ない枚数のページを短い弾性片２１ｂで押え、読了したらこれをめくってもう一方の上部ページ押え部材２１の短い弾性片２１ｂで押えるようにする。すると、いちいち小出しにページをめくったり、押えたりすることが可能となるのでページのめくりが容易となり何枚かづつを手軽に短い弾性片２１ｂで押え、ある程度まとまった枚数になったら長い弾性片２１ａで押えるようにすることが可能となることから、ページのめくり操作が容易になるという利点を有するものである。
【００１５】
さらに、下部表紙押え部材９や本押え紐１３，１３、及び上部表紙押え部材１９，１９等は、押えるページが本の読み始めや読み終わりのように厚みが片寄る場合、或は片寄らなくとも厚い本の場合には、ページの中間を押えることによって、下部ページ押え部材１１，１１や上部ページ押え部材２１，２１にのみページの重さがかかからないように工夫して使用すると良い。
【００１６】
【発明の効果】
この発明は以上のように構成したので、次のような効果を奏し得る。
【００１７】
請求項１のように構成すると、大小及び軽重いずれの雑誌や本等でもしっかりと安定的に保持でき、かつページもめくり易く、寝ながらにして手で本等を持つことなく読書を行うことができる上にページ押え片が本のページの下部を押える幅が増大するので、いちいち締付ネジを弛めたり締め付けたりすることなく、ある程度までのページの厚さの増減は、このページ押え片で吸収できる。
【図面の簡単な説明】
【図１】この発明を実施した読書用スタンドの斜視図である。
【図２】この発明に係る読書用スタンドの基台と支持手段の斜視図である。
【図３】この発明に係る読書用スタンドの平面図である。
【図４】この発明の要部の分解斜視図である。
【図５】小版の本をセットする状態を説明するために正面から見た説明図である。
【図６】小版の本をセットする状態を説明するために側面から見た説明図である。
【図７】大版の本をセットする場合を説明するために正面から見た説明図である。
【図８】大版の本をセットする場合を説明するために側面から見た説明図である。
【符号の説明】
１  基台
３  支持手段
３ａ  支持パイプ
３ｂ  支持パイプ
３ｃ  支持パイプ
３ｄ  自在継手
３ｅ  挿入係止棒
４  保持板部
５  保持部
６  基板
７  支持棚部
９  下部表紙押え部材
１０  締付ネジ
１１  下部ページ押え部材
１１ａ  ページ押え片
１２  下部押え手段
１３  本押え紐
１６  上部押え手段
１７  調節板部
１９  上部表紙押え部材
２１  上部ぺージ押え部材
２１ａ  弾性片
２１ｂ  弾性片
【図１】
0004187312.tif 000002
【図２】
0004187312.tif 000003
【図３】
0004187312.tif 000004
【図４】
0004187312.tif 000005
【図５】
0004187312.tif 000006
【図６】
0004187312.tif 000007
【図７】
0004187312.tif 000008
【図８】
0004187312.tif 000009